(57)【要約】【課題】開閉扉を開閉する前後方向のスペースを最小限にして商品を取出し易くすることのできる自動販売機の商品取出口構造を提供する。【解決手段】開閉扉２０を商品取出口１０に対して平行移動させることによって商品取出口１０を開閉する開閉機構３０を備えたので、開閉扉２０が開放する前後方向のスペースを小さくすることができるとともに、開閉扉２０を最大に開放しても開閉扉２０の前方へ張り出すスペースを最小限にすることができ、商品取出口１０内の商品Ａを取出し易くすることができる。【選択図】図１
2005202486.tif 000002
【特許請求の範囲】
【請求項１】
商品取出口を外部から覆うように設けられ、商品取出口を開閉する開閉扉を備えた自動販売機の商品取出口構造において、
前記開閉扉を商品取出口の前面に対して上下方向に平行移動させることによって商品取出口を開閉する開閉機構を備えた
ことを特徴とする自動販売機の商品取出口構造。
【請求項２】
前記開閉機構を、開閉扉の幅方向両端の下部と商品取出口の幅方向両端の上下方向略中央部とをそれぞれ回動自在に連結する幅方向一対の第１の連結部材と、
開閉扉の幅方向両端の上下方向略中央部と商品取出口の幅方向両端の上部とをそれぞれ回動自在に連結する幅方向一対の第２の連結部材とから構成した
ことを特徴とする請求項１記載の自動販売機の取出口構造。
【請求項３】
前記商品取出口の下方を透明板によって形成した
ことを特徴とする請求項１または２記載の商品取出口構造。
【発明の詳細な説明】
【技術分野】
【０００１】
本発明は、ビン、缶またはペットボトル入り飲料等の商品を販売する自動販売機の商品取出口に関するものである。
【背景技術】
【０００２】
従来、この種の自動販売機の商品取出口構造としては、自動販売機の前面下部に設けられた商品取出口と、商品取出口の上端に上端を回動自在に支持され、前方に回動させることにより商品取出口を開放する開閉扉とを備え、自動販売機本体内の商品収納庫内から商品取出口内に搬出された商品を開閉扉を開放して商品を取出すようにしたものが知られている（例えば、特許文献１参照）。
【特許文献１】実公平７−５１６６３号公報
【発明の開示】
【発明が解決しようとする課題】
【０００３】
しかしながら、従来の自動販売機の商品取出口構造では、開閉扉の上端が回動自在に支持され、前方に回動させることにより開閉扉を開放するように構成されているため、開閉扉を開放するための前後方向のスペースが大きく必要となるとともに、開閉扉を最大に開放した状態でも開閉扉の下端が前方へ張り出すため、商品を取出す際に、開閉扉に手が接触して商品が取出しにくいという問題点があった。
【０００４】
本発明は前記問題点に鑑みてなされたものであり、その目的とするところは、開閉扉を開閉する前後方向のスペースを最小限にして商品を取出し易くすることのできる自動販売機の商品取出口構造を提供することにある。
【課題を解決するための手段】
【０００５】
本発明は前記目的を達成するために、商品取出口を外部から覆うように設けられ、商品取出口を開閉する開閉扉を備えた自動販売機の商品取出口構造において、前記開閉扉を商品取出口の前面に対して上下方向に平行移動させることによって商品取出口を開閉する開閉機構を備えている。これにより、開閉機構によって開閉扉を商品取出口の前面に対して上下方向に平行移動させることによって商品取出口が開閉されることから、開閉扉が商品取出口を開閉する前後方向のスペースが小さくすることが可能になるとともに、開閉扉が最大に開放されても開閉扉の前方へ張り出すスペースを最小限にすることが可能となる。
【発明の効果】
【０００６】
本発明によれば、開閉扉が開放する前後方向のスペースを小さくすることができるとともに、開閉扉を最大に開放しても開閉扉の前方へ張り出すスペースを最小限にすることができ、商品取出口内の商品を取出し易くすることができる。
【発明を実施するための最良の形態】
【０００７】
図１乃至図６は本発明の一実施形態を示すもので、図１は商品取出口の側面断面図、図２及び図３は商品取出口の斜視図、図４乃至図６は開閉扉の動作を示す側面断面図である。
【０００８】
この自動販売機の商品取出口構造は、利用者が商品Ａを取出す商品取出口１０と、商品取出口１０の前面を覆う開閉扉２０と、開閉扉２０を開閉させる開閉機構３０と、自動販売機本体の図示しない商品収納庫から商品Ａを搬出する商品搬出口４０と、商品搬出口４０を開閉する搬出扉５０と、搬出された商品Ａを受容する商品受容部６０とから構成されている。
【０００９】
商品取出口１０は、自動販売機の外扉下部に設けられ、商品取出口１０の下端は透明板１１によって形成されている。
【００１０】
開閉扉２０は、透明な板状部材からなり、商品取出口１０を外部から覆うように形成されている。また、開閉扉２０の略中央部上端側には開閉扉２０の開閉の操作を行う取手部２１が前方に突設され、取手部２１は先端部を下方に向けるように形成されている。
【００１１】
開閉機構３０は、商品取出口１０と開閉扉２０のそれぞれの幅方向両端側を連結する一対の第１の連結部材３１及び一対の第２の連結部材３２によって構成されている。
【００１２】
各第１の連結部材３１は棒状の部材からなり、棒状部材の両端側をそれぞれ屈曲することにより屈曲部３１ａ，３１ｂが設けられている。第１の連結部材３１は屈曲部３１ａを商品取出口１０に設けられた係合部１２に係合させるとともに、屈曲部３１ｂを開閉扉２０に設けられた係合部２２に係合させることにより、商品取出口１０の幅方向両端側の上下方向略中央部と開閉扉２０の幅方向両端側の下部とに回動自在に連結されている。
【００１３】
各第２の連結部材３２は棒状の部材からなり、棒状部材の両端側をそれぞれ屈曲することにより屈曲部３２ａ，３２ｂが設けられている。第２の連結部材３２は屈曲部３２ａを商品取出口１０に設けられた係合部１３に係合させるとともに、屈曲部３２ｂを開閉扉２０に設けられた係合部２３に係合させることにより、商品取出口１０の幅方向両端側の上部と開閉扉２０の幅方向両端側の上下方向略中央部とに回動自在に連結されている。
【００１４】
商品搬出口４０は、自動販売機本体内の内扉を開口することにより設けられ、商品取出口１０の内部後方に配置されている。
【００１５】
搬出扉５０は、商品搬出口４０の上部に上端を回動自在に支持され、前方に回動することにより商品搬出口４０を開放するようになっている。
【００１６】
商品受容部６０は、商品取出口１０内の下部に設けられ、商品搬出口４０から搬出された商品Ａを受容するようになっている。
【００１７】
以上のように構成された自動販売機の商品取出口構造においては、自動販売機本体内の商品収納庫から商品Ａが搬出されると、図４に示すように、商品搬出口４０の搬出扉５０が商品Ａによって押開けられ、商品Ａが商品受容部６０に搬出される。商品Ａを取出すときは、利用者が開閉扉２０に設けられた取手部２１を斜め上方に持ち上げると、第１の連結部材３１及び第２の連結部材３２が連動して、図５に示すように、開閉扉２０が商品取出口１０の前面に対して斜め上方に平行移動して商品取出口１０が開放される。更に、開閉扉２０を最大限に開放すると、図６に示すように、開閉扉２０の背面側が商品取出口１０の上方の自動販売機本体の前面と対向するようになっている。
【００１８】
このように、本実施形態の自動販売機の商品取出口構造によれば、開閉扉２０を商品取出口１０の前面に対して上下方向に平行移動させることによって商品取出口１０を開閉する開閉機構３０を備えたので、開閉扉２０が開放する前後方向のスペースを小さくすることができるとともに、開閉扉２０を最大に開放しても開閉扉２０の前方へ張り出すスペースを最小限にすることができ、商品取出口１０内の商品Ａを取出し易くすることができる。
【００１９】
また、開閉機構３０を、開閉扉２０の幅方向両端の下部と商品取出口１０の幅方向両端の上下方向略中央部とをそれぞれ回動自在に連結する幅方向一対の第１の連結部材３１と、開閉扉２０の幅方向両端の上下方向略中央部と商品取出口１０の幅方向両端の上部とをそれぞれ回動自在に連結する幅方向一対の第２の連結部材３２とから構成したので、従来のように、開閉扉２０の上端側に商品取出口１０と連結する部材によって視認性が悪化することはなく、開閉扉２０を通して外部から商品収納庫内１０内を目視することができ、商品取出口１０内の視認性を向上させることができる。この場合、幅方向一対の第１の連結部材３１によって開閉扉２０の幅方向両端の下部と商品取出口１０の幅方向両端の上下方向略中央部とを連結し、幅方向一対の第２の連結部材３２によって開閉扉２０の幅方向両端の上下方向略中央部と商品取出口１０の幅方向両端の上部とを連結するようにしたので、簡単な構成により確実に開閉扉２０を商品取出口１０の前面に対して上下方向に平行移動させることができる。
【００２０】
また、商品取出口１０の下端を透明板１１によって形成したので、透明板１１を通して外部から商品取出口１０内を目視することができ、商品取出口１０内の視認性を更に向上させることができる。
【図面の簡単な説明】
【００２１】
【図１】本発明の一実施形態を示す自動販売機の商品取出口構造の側面断面図
【図２】商品取出口の斜視図
【図３】商品取出口の斜視図
【図４】開閉扉の動作を示す商品取出口の側面断面図
【図５】開閉扉の動作を示す商品取出口の側面断面図
【図６】開閉扉の動作を示す商品取出口の側面断面図
【符号の説明】
【００２２】
１０…商品取出口、１１…透明板、３０…開閉機構、３１…第１の連結部材、３２…第２の連結部材。
【図１】
2005202486.tif 000003
【図２】
2005202486.tif 000004
【図３】
2005202486.tif 000005
【図４】
2005202486.tif 000006
【図５】
2005202486.tif 000007
【図６】
2005202486.tif 000008